(57)【要約】【課題】ヘルメット装着時の両耳保護部の付け根部への応力集中を抑制した状態で無理なく容易に装着することができ、且つ、軽量化、コストの低廉化を図る。【解決手段】半球殻状のヘルメット本体１と庇部２及び左右一対の耳保護部３とが備えられ、両耳保護部３の縁部の各々が、庇部２との括れ部４に連続する前側縁部３Ａと、ヘルメット本体１の後部の下側縁部１Ａに連続する後方上がりの後側縁部３Ｂとから構成され、両耳保護部３の後側縁部３Ｂからヘルメット本体１の最後部の下側縁部１Ａに至る領域の後半側開口縁が、ヘルメット本体１の内面の後半側開口縁における最大短径方向寸法よりも大なる最大短径方向寸法を備えた半楕円形状に構成され、この半楕円形状の後半側開口縁で形成される後半側開口が、ヘルメット本体１の上下方向中心線に対して交差する方向からの装脱着移動を許容する装脱着用空間１０に構成されている。【選択図】図１
2018057671.tif 000002
【特許請求の範囲】
【請求項１】
半球殻状のヘルメット本体と、当該ヘルメット本体から前方側に延出される庇部と、前記ヘルメット本体から下方に延出される左右一対の耳保護部とが備えられ、前記一対の耳保護部の縁部の各々が、前記庇部との括れ部に連続する前側縁部と、前記ヘルメット本体の後部の下側縁部に連続する後方上がり傾斜の後側縁部とから構成されている野球用ヘルメットであって、
前記一対の耳保護部の前記後側縁部から前記ヘルメット本体の最後部の下側縁部に至る領域の後半側開口縁が、前記ヘルメット本体の内面の後半側開口縁における最大短径方向寸法よりも大なる最大短径方向寸法を備えた半楕円形状に構成され、この半楕円形状の後半側開口縁で形成される後半側開口が、前記ヘルメット本体の上下方向中心線に対して交差する方向からの装脱着移動を許容する装脱着用空間に構成されている野球用ヘルメット。
【請求項２】
前記一対の耳保護部の内面における前記前側縁部に対応する前側部位には、緩衝パッドが設けられ、前記一対の耳保護部の内面における前記後側縁部に対応する後側部位には、前記緩衝パッドが設けられていない請求項１記載の野球用ヘルメット。
【請求項３】
前記後半側開口縁の内面側部位には、前記装脱着用空間の中央側ほど上方に位置する傾斜姿勢の装着案内面が形成されている請求項１又は２記載の野球用ヘルメット。
【請求項４】
前記装着案内面の耳通過相当箇所には、当該装着案内面の他の部位よりも大きな勾配を有し、且つ、前記一対の耳保護部の前記前側縁部における後端部の内面よりも左右方向の外方側に偏倚した位置にまで窪む耳通過案内面が形成されている請求項３記載の野球用ヘルメット。
【請求項５】
前記一対の耳保護部の前記後側縁部は、前記前側縁部の厚みよりも小なる厚みに構成されている請求項１又は２記載の野球用ヘルメット。
【請求項６】
前記ヘルメット本体と前記庇部と前記一対の耳保護部は、非発泡の樹脂で形成されたシェルと、当該シェルの内側に積層され、且つ、前記シェルよりも厚肉の発泡樹脂で形成された内層材とを備えた積層構造で一体的に構成されている請求項１〜５のいずれか１項に記載の野球用ヘルメット。
【発明の詳細な説明】
【技術分野】
【０００１】
本発明は、半球殻状のヘルメット本体と、当該ヘルメット本体の前部から前方側に延出される庇部と、前記ヘルメット本体の左右の両側部から下方に延出される一対の耳保護部とが備えられ、前記一対の耳保護部の側縁部の各々が、前記庇部との括れ部に連続する前側縁部と、前記ヘルメット本体の後部の下側縁部に連続する後方上がり傾斜の後側縁部とから構成されている野球用ヘルメットに関する。
【背景技術】
【０００２】
上述の野球用ヘルメットとして、例えば、特許文献１、２に示すように、ヘルメット本体と庇部と一対の耳保護部とを、非発泡の樹脂で形成されたシェルと、当該シェルの内側に積層され、且つ、シェルよりも厚肉の発泡樹脂で形成された内層材とを備えた積層構造で一体的に構成されたものが存在する。
この従来の野球用ヘルメットでは、各耳保護部の前側縁部における前方下がりの上半前側縁部分と後方下がりの下半前側縁部分との境界部位が耳保護部の最前端位置に構成され、前側縁部の下半前側縁部分と後方上がりの後側縁部との境界部位が耳保護部の最下端位置に構成されている。
一対の耳保護部の最前端位置及び最下端位置での内面間の左右方向での開口幅が、一対の耳保護部の後側縁部での内面間の左右方向での開口幅よりも小に構成されている。特許文献１の図１１に示すように、各耳保護部の内面には、前側縁部及び後側縁部に沿って「へ」の字状等の緩衝パッドが設けられている。
従来の野球用ヘルメットでは、ヘルメット本体の頂部中心位置を通る上下方向の中心線に沿った方向が着用者の頭部への装脱着方向に構成されている。
【先行技術文献】
【特許文献】
【０００３】
【特許文献１】特開２０１３−０３４７４７号公報
【特許文献２】特開２０１５−００８８９１号公報
【発明の概要】
【発明が解決しようとする課題】
【０００４】
従来の野球用ヘルメットでは、両耳保護部の内面間における前側縁部での左右方向での開口間隔が、ライナ本体の内面における開口縁での最大左右開口幅よりも狭く構成され、しかも、各耳保護部の内面には、前側縁部及び後側縁部に沿って緩衝パッドが設けられているため、両耳保護部の緩衝パッドの対向面間が最も狭くなっている。そのため、使用者が野球用ヘルメットを装着するとき、一対の耳保護部を把持して左右方向に開きながら装着することになる。このとき、両耳保護部の付け根部に応力が集中して発泡樹脂製の内層材に割れが発生する可能性がある。
【０００５】
そこで、野球用ヘルメットの装着時における内層材の割れ発生を抑制する対策として、特許文献１に開示されている野球用ヘルメットでは、内層材の内面のうち、ヘルメット本体に対応する内層材本体と両耳保護部に対応する耳用内装材部とにわたって、非発泡の樹脂で形成された補強シェルを一体的に積層している。
また、特許文献２に開示されている野球用ヘルメットでは、内層材の内面のうち、両耳保護部に対応する耳用内装材部の内面に、後側縁部から前側縁部及び括れ部を経由してヘルメット本体に対応する内層材本体側に延びる非発泡の樹脂で形成された補強シェルを一体的に積層している。
【０００６】
上述の従来対策は、一対の耳保護部を把持して左右方向に開きながら装着することを前提にした補強シェルによる補強対策であり、ヘルメット本体に対応する内層材本体側にまで延びる大きな補強シェルが必要となる。そのため、野球用ヘルメットの重量化、コストの高騰化を招来し易い。それでも発泡樹脂製の内層材に割れが発生する可能性が残ると共に、一対の耳保護部の開き操作が重くなり、ヘルメット装着に手間取る不都合がある。
【０００７】
この実情に鑑み、本発明の主たる課題は、ヘルメット装着時の両耳保護部の付け根部への応力集中を抑制した状態で無理なく容易に装着することができ、且つ、軽量化、コストの低廉化を図ることのできる野球用ヘルメットを提供する点にある。
【課題を解決するための手段】
【０００８】
本発明による第１の特徴構成は、半球殻状のヘルメット本体と、当該ヘルメット本体から前方側に延出される庇部と、前記ヘルメット本体から下方に延出される左右一対の耳保護部とが備えられ、前記一対の耳保護部の縁部の各々が、前記庇部との括れ部に連続する前側縁部と、前記ヘルメット本体の後部の下側縁部に連続する後方上がり傾斜の後側縁部とから構成されている野球用ヘルメットであって、
前記一対の耳保護部の前記後側縁部から前記ヘルメット本体の最後部の下側縁部に至る領域の後半側開口縁が、前記ヘルメット本体の内面の後半側開口縁における最大短径方向寸法よりも大なる最大短径方向寸法を備えた半楕円形状に構成され、この半楕円形状の後半側開口縁で形成される後半側開口が、前記ヘルメット本体の上下方向中心線に対して交差する方向からの装脱着移動を許容する装脱着用空間に構成されている点にある。
【０００９】
上記構成によれば、野球用ヘルメットを装着するとき、野球用ヘルメットを正規装着姿勢よりも庇部が上方側に向く状態にし、一対の耳保護部の後側縁部からヘルメット本体の最後部の下側縁部に至る領域の後半側開口縁をもって構成された装脱着用空間に装着者の頭部を臨ませる。この装脱着用空間を構成する後半側開口縁は、ヘルメット本体の内面の後半側開口縁における最大短径方向寸法よりも大なる最大短径方向寸法を備えた半楕円形状に構成されているため、野球用ヘルメットをヘルメット本体の上下方向中心線に対して交差する方向から無理なく容易に装着操作することができる。これにより、野球用ヘルメットが正規装着姿勢よりも庇部が上方側に向く状態で使用者の頭部に装着され、その状態で野球用ヘルメットを回動操作して正規装着姿勢に戻す。
したがって、従来の野球用ヘルメットのように、一対の耳保護部を把持して左右方向に開くという操作が不要で、両耳保護部の付け根部への応力集中を抑制することができる。それに伴う補強対策の軽減によって野球用ヘルメットの軽量化、コストの低廉化、装着の容易化を図ることができる。
【００１０】
本発明による第２の特徴構成は、前記一対の耳保護部の内面における前記前側縁部に対応する前側部位には、緩衝パッドが設けられ、前記一対の耳保護部の内面における前記後側縁部に対応する後側部位には、前記緩衝パッドが設けられていない点にある。
【００１１】
上記構成によれば、正規装着姿勢よりも庇部が上方側に向く状態にある野球用ヘルメットの装脱着用空間に装着者の頭部を臨ませ、野球用ヘルメットをヘルメット本体の上下方向中心線に対して交差する方向から装着操作する際、一対の耳保護部の内面における後側縁部に対応する後側部位に装着者の耳が通過するが、その後側部位には緩衝パッドが設けられていないため、緩衝パッドが装着者の耳と接触することによる干渉を抑制することができる。さらに、野球用ヘルメットを回動操作して正規装着姿勢に戻すとき、一対の耳保護部の内面における前側縁部に対応する前側部位に設けられている緩衝パッドは、装着者の耳の前方側を迂回しながら回動するため、緩衝パッドが装着者の耳と干渉することを抑制することができる。そして、野球用ヘルメットが正規装着姿勢に回動操作された状態では、緩衝パッドが装着者の頬骨相当箇所の設定位置に当接し、野球用ヘルメットの装着姿勢が安定する。
したがって、緩衝パッドを備えた野球用ヘルメットの装着の容易化を図りながらも、正規装着状態では使用者の頭部を的確に包み込むフィット感を得ることができる。
【００１２】
本発明による第３の特徴構成は、前記後半側開口縁の内面側部位には、前記装脱着用空間の中央側ほど上方に位置する傾斜姿勢の装着案内面が形成されている点にある。
【００１３】
上記構成によれば、野球用ヘルメットの半楕円形状の後半側開口縁をもって構成される装脱着用空間の最大短径方向寸法及び最大長径方向寸法を、この半楕円形状の後半側開口縁の内面側部位に形成された装着案内面の傾斜代の分だけ外方側に拡張することができ、野球用ヘルメットの装着の容易化を図ることができる。
特に、上述の第２の特徴構成を備えている場合には、正規装着姿勢よりも庇部が上方側に向く状態にある野球用ヘルメットの装着案内面のうち、ヘルメット本体の後部の下側縁部に対応する装着案内面部分を装着者の後頭部に当接させたとき、一対の耳保護部の内面における前側部位に設けられている緩衝パッドが、装着者の耳に対して装着案内面の傾斜代の分だけ前方側に偏倚することになる。そのため、野球用ヘルメットをヘルメット本体の上下方向中心線に対して交差する方向から装着操作する際、緩衝パッドが装着者の耳と干渉することをより抑制することができ、野球用ヘルメットの装着の容易化を一層促進することができる。
【００１４】
本発明による第４の特徴構成は、前記装着案内面の耳通過相当箇所には、当該装着案内面の他の部位よりも大きな勾配を有し、且つ、前記一対の耳保護部の前記前側縁部における後端部の内面よりも左右方向の外方側に偏倚した位置にまで窪む耳通過案内面が形成されている点にある。
【００１５】
上記構成によれば、装着案内面の耳通過相当箇所に形成された耳通過案内面は、装着案内面の他の部位よりも大きな勾配を有し、且つ、前側縁部における後端部の内面よりも左右方向の外方側に偏倚した位置にまで窪む。そのため、野球用ヘルメットをヘルメット本体の上下方向中心線に対して交差する方向から装着操作する際、装着者の耳が耳通過案内面に沿って通過する際の通過抵抗をより小さくすることができ、野球用ヘルメットの装着の容易化を図ることができる。
【００１６】
本発明による第５の特徴構成は、前記一対の耳保護部の前記後側縁部は、前記前側縁部の厚みよりも小なる厚みに構成されている点にある。
【００１７】
上記構成によれば、野球用ヘルメットの後半側開口をもって構成される装脱着用空間の最大短径方向寸法を、両耳保護部の後側縁部の厚みを小さく構成する分だけ拡張することができ、野球用ヘルメットの装着の容易化をより促進することができる。
【００１８】
本発明による第６の特徴構成は、前記ヘルメット本体と前記庇部と前記一対の耳保護部は、非発泡の樹脂で形成されたシェルと、当該シェルの内側に積層され、且つ、前記シェルよりも厚肉の発泡樹脂で形成された内層材とを備えた積層構造で一体的に構成されている点にある。
【００１９】
上記構成によれば、ヘルメット本体と庇部と一対の耳保護部とを非発泡樹脂製のシェルの単層構造で構成する場合に比して、野球用ヘルメットの剛性を確保しながら軽量化を図ることができる。しかも、シェルの内側に積層される厚肉の発泡樹脂の内層材において、野球用ヘルメットの後半側開口をもって装脱着用空間を構成するための加工を容易に行うことができる。
【図面の簡単な説明】
【００２０】
【図１】野球用ヘルメットの斜視図
【図２】野球用ヘルメットの縦断面図
【図３】図２におけるＩＩＩ−ＩＩＩ線断面図
【図４】図２におけるＩＶ−ＩＶ線断面図
【図５】図２におけるＶ−Ｖ線矢視図
【図６】図２におけるＶＩ−ＶＩ線矢視図
【図７】野球用ヘルメットの装着説明図
【発明を実施するための形態】
【００２１】
〔第１実施形態〕
図１は打者用の野球用ヘルメットＨを示す。この野球用ヘルメットＨには、装着者の頭部の上側を覆う半球殻状のヘルメット本体１と、当該ヘルメット本体１から前方側に延出される庇部２と、ヘルメット本体１から下方に延出される左右一対の耳保護部３とが主要構成として備えられている。
ヘルメット本体１には、図２〜図５に示すように、前後方向に沿って複数列で複数の通気孔８が貫通形成され、左右一対の耳保護部３の各々には、図１、図２に示すように、一つ又は複数（当該実施形態では前後の二個）の耳穴９が貫通形成されている。
【００２２】
各耳保護部３の縁部は、図１、図２に示すように、庇部２の縁部２Ａとの括れ部４に連続する前側縁部３Ａと、ヘルメット本体１の最後部の下側縁部１Ａに連続する後方上がり傾斜の後側縁部３Ｂとから構成されている。さらに、前側縁部３Ａは、括れ部４に連続する前下がり傾斜の上半前側縁部分３Ａａと、当該上半前側縁部分３Ａａの下端部及び後側縁部３Ｂの前端部に対してそれぞれ略Ｖ字状に連続する後方下がり傾斜の下半前側縁部分３Ａｂとから構成されている。
各耳保護部３の前側縁部３Ａにおける上半前側縁部分３Ａａの下端部と下半前側縁部分３Ａｂの上端部とがＶ字状に交差する第１境界部位Ｐ１が、野球用ヘルメットＨが正規装着姿勢にある状態で耳保護部３の最前端位置に構成されている。また、前側縁部３Ａの下半前側縁部分３Ａｂの下端部と後側縁部３Ｂの前端部とがＶ字状に交差する第２境界部位Ｐ２が、野球用ヘルメットＨが正規装着姿勢にある状態で耳保護部３の最下端位置に構成されている。
【００２３】
ヘルメット本体１と庇部２と一対の耳保護部３とは、図２〜図４に示すように、非発泡の樹脂で形成されたシェル５と、当該シェル５の内面に密着状態で接着積層され、且つ、シェル５よりも厚肉の発泡樹脂で形成された内層材６とを備えた積層構造で一体的に構成されている。
シェル５は、ヘルメット本体１の外面側を構成するシェル本体５Ａと、庇部２の上面側を構成する庇シェル部５Ｂと、両耳保護部３の外面側を構成する耳シェル部５Ｃとからなり、硬質の非発泡樹脂の一例であるポリカーボネート樹脂を用い、厚み寸法が０．５ｍｍ〜１．５ｍｍ程度の薄肉で真空成形にて一体成形されている。
内層材６は、ヘルメット本体１の内面側を構成するライナ本体６Ａと、庇部２の下面側を構成する庇ライナ部６Ｂと、両耳保護部３の内面側を構成する耳ライナ部６Ｃとからなり、発泡樹脂の一例である発泡ポリスチレン樹脂を用い、厚み寸法が５ｍｍ〜２０ｍｍ程度の厚肉で一体成形されている。
【００２４】
両耳保護部３の耳ライナ部６Ｃの内面には、図１〜図４に示すように、非発泡の樹脂で形成された硬質の補強シェル７が密着状態で接着積層されている。この補強シェル７は、上述のシェル５と同様に、非発泡樹脂の一例であるポリカーボネート樹脂を用い、厚み寸法が０．５ｍｍ〜１．５ｍｍ程度の薄肉に形成されている。
補強シェル７は、耳ライナ部６Ｃの内面のうち、後方側の耳穴９の周縁部及びそれに連続する後端部を除く大部分の領域を覆う内側補強シェル部７Ａと、耳シェル部５Ｃの縁部に接合しない状態で耳ライナ部６Ｃの前側縁部３Ａ及び後側縁部３Ｂの大部分を覆う縁補強シェル部７Ｂとを真空成形にて一体成形されている。
内側補強シェル部７Ａの上側縁７ａは、ヘルメット本体１のライナ本体６Ａの内面における開口縁６ａに沿ってライナ本体６Ａ側に入り込まない状態で配置されている。
また、縁補強シェル部７Ｂの前端部には、図１、図２に示すように、括れ部４を経由して庇ライナ部６Ｂの下面における左右の後端部にまで延びる延長補強シェル部７Ｃが一体形成されている。
【００２５】
図３、図５に示すように、両耳保護部３の補強シェル７の内側補強シェル部７Ａにおける対向面間の開口幅のうち、前側縁部３Ａの第１境界部位Ｐ１における左右開口幅Ｗ１が、ヘルメット本体１のライナ本体６Ａの内面における開口縁６ａでの最大左右開口幅Ｗ２よりも少し小なる寸法に構成されている。
ライナ本体６Ａの内面における開口縁６ａでの最大左右開口幅Ｗ２は、ライナ本体６Ａの内面における開口縁６ａでの最大長径方向寸法である最大前後幅Ｌ３の前後中央位置を左右方向に横切る最大短径方向寸法である。
また、最大前後幅Ｌ３の前後中央位置からライナ本体６Ａの内面における開口縁６ａでの最後端位置までの後半側前後幅Ｌ４が、ライナ本体６Ａの内面の後半側開口縁Ｒ２における最大長径方向寸法となる。
【００２６】
さらに、図５に示すように、両耳保護部３の補強シェル７の内側補強シェル部７Ａにおける前側縁部３Ａの後端部での左右開口幅Ｗ３、換言すれば、両下半前側縁部分３Ａｂの下端部での左右開口幅Ｗ３は、ライナ本体６Ａの内面の開口縁６ａにおける最大左右開口幅Ｗ２よりも少し大に構成されている。
そのため、両耳保護部３の補強シェル７の内側補強シェル部７Ａのうち、前側縁部３Ａの下半前側縁部分３Ａｂに対応する前側部分は、図５に示すように、野球用ヘルメットＨの底面視（図２のＶ−Ｖ線矢視）において後方側ほど左右方向の外方側に位置する滑らかな後方広がりの曲面に構成されている。
この滑らかな後方広がりの曲面に構成された各内側補強シェル部７Ａの前側部分には、前側縁部３Ａの下半前側縁部分３Ａｂに沿って細長い衝撃吸収用の緩衝パッド１１が、接着剤や両面テープ等の適宜接着手段により貼設されている。
【００２７】
しかし、両耳保護部３の補強シェル７の内側補強シェル部７Ａの内面のうち、後側縁部３Ｂに対応する後側部位は、後述するように、野球用ヘルメットＨを正規装着姿勢よりも庇部２が上方側に向く状態で装着する際に装着者の耳が通過する部位となる。そのため、内側補強シェル部７Ａの内面における後側縁部３Ｂに対応する後側部位には、上述の緩衝パッド１１は設けられていない。
【００２８】
緩衝パッド１１の各々は、柔らかくクッション性に優れた発泡樹脂製の芯材を天然皮革又は合成皮革等の柔軟な表皮材で被覆して構成されている。
野球用ヘルメットＨを装着者の頭部に装着した状態では、左右の緩衝パッド１１が少し圧縮された状態で装着者の頬骨相当箇所の設定位置に当接し、野球用ヘルメットＨの装着姿勢が安定する。
【００２９】
そして、図６に示すように、両耳保護部３の補強シェル７の内側補強シェル部７Ａにおける後側縁部３Ｂの前端部での最大短径方向寸法である左右開口幅Ｗ４は、両耳保護部３の補強シェル７の内側補強シェル部７Ａにおける前側縁部３Ａの後端部での左右開口幅Ｗ３、及び、ライナ本体６Ａの内面における開口縁６ａでの最大左右開口幅Ｗ２よりも大に構成されている。
さらに、図２、図６に示すように、両耳保護部３の補強シェル７の内側補強シェル部７Ａにおける後側縁部３Ｂの前端部同士を結ぶ線分Ｌ１の左右方向中央位置からヘルメット本体１のライナ本体６Ａの内面における最後端位置までの最大長径方向寸法である前後方向長さＬ２は、ライナ本体６Ａの内面の後半側開口縁Ｒ２における最大長径方向寸法である後半側前後幅Ｌ４よりも大なる寸法に構成されている。
【００３０】
上述の構成により、図４〜図６に示すように、一対の耳保護部３の後側縁部３Ｂにおける前端部からヘルメット本体１の最後部の下側縁部１Ａに至る領域の後半側開口縁Ｒ１は、ライナ本体６Ａの内面の後半側開口縁Ｒ２よりも最大短径方向寸法及び最大長径方向寸法が大なる半楕円形状に構成されている。詳しくは、この半楕円形状の後半側開口縁Ｒ１における最大短径方向寸法である左右開口幅Ｗ４及び最大長径方向寸法である前後方向長さＬ２は、ライナ本体６Ａの内面の後半側開口縁Ｒ２における最大短径方向寸法である最大左右開口幅Ｗ２及び最大長径方向寸法である後半側前後幅Ｌ４よりも大に構成されている。
そして、上述の半楕円形状の後半側開口縁Ｒ１をもって構成される後半側開口、つまり、一対の耳保護部３の後側縁部３Ｂからヘルメット本体１の最後部の下側縁部１Ａに至る領域の後半側開口は、ヘルメット本体１の上下方向中心線Ｙに対して交差する方向からの装脱着移動を許容する装脱着用空間１０に構成されている。換言すれば、正規装着姿勢よりも庇部２が上方側に向く状態でヘルメット本体１の後部側からライナ本体６Ａの内面の前半側への装脱着移動を許容する装脱着用空間１０に構成されている。
【００３１】
そして、野球用ヘルメットＨを装着者の頭部に装着するとき、図７の二点鎖線に示すように、野球用ヘルメットＨを正規装着姿勢よりも庇部２が上方側に向く状態にする。その状態で、一対の耳保護部３の後側縁部３Ｂからヘルメット本体１の最後部の下側縁部１Ａに至る領域の後半側開口をもって構成された装脱着用空間１０に装着者の頭部を臨ませ、且つ、ライナ本体６Ａの内面の後半側開口縁Ｒ２の後部を装着者の後頭部に当て付ける。
この装脱着用空間１０を構成する後半側開口縁Ｒ１は、上述の如く、ヘルメット本体１のライナ本体６Ａの内面の後半側開口縁Ｒ１よりも最大短径方向寸法及び最大長径方向寸法が大なる半楕円形状に構成されているため、野球用ヘルメットＨをヘルメット本体１の上下方向中心線Ｙに対して交差する方向から無理なく容易に装着操作することができる。これにより、図７の一点鎖線に示すように、野球用ヘルメットＨが正規装着姿勢よりも庇部２が上方側に向く状態で使用者の頭部に装着される。次に、図７の破線及び実線に示すように、庇部２が上方側に向く状態で使用者の頭部に装着されている野球用ヘルメットＨを回動操作して正規装着姿勢に戻す。
したがって、一対の耳保護部３を把持して左右方向に開くという操作が不要で、両耳保護部３の付け根部である括れ部４への応力集中を抑制することができる。
【００３２】
このとき、上述したように、一対の耳保護部３の内面における前側縁部３Ａに対応する前側部位には、緩衝パッド１１が設けられているが、一対の耳保護部３の内面における後側縁部３Ｂに対応する後側部位は装着者の耳が通過するが、その後側部位には、緩衝パッド１１が設けられていない。そのため、図７の二点鎖線及び一点鎖線に示すように、正規装着姿勢よりも庇部２が上方側に向く状態にある野球用ヘルメットＨの装脱着用空間１０に装着者の頭部を臨ませ、野球用ヘルメットＨをヘルメット本体１の上下方向中心線Ｙに対して交差する方向から装着操作する際、緩衝パッド１１が装着者の耳と接触することによる干渉を抑制することができる。さらに、図７の破線及び実線に示すように、野球用ヘルメットＨを回動操作して正規装着姿勢に戻すとき、一対の両耳保護部３の内面の前側部位に設けられている緩衝パッド１１は、装着者の耳の前方側を迂回しながら回動するため、緩衝パッド１１が装着者の耳と干渉することを抑制することができる。そして、図７の実線に示すように、野球用ヘルメットＨが正規装着姿勢に回動操作された状態では、緩衝パッド１１が装着者の頬骨相当箇所の設定位置に当接し、野球用ヘルメットＨの装着姿勢が安定する。
それ故に、緩衝パッド１１を備えた野球用ヘルメットＨの装着の容易化を図りながらも、正規装着状態では使用者の頭部を的確に包み込むフィット感を得ることができる。
【００３３】
また、当該実施形態においては、装脱着用空間１０を構成する後半側開口縁Ｒ１の内面側部位には、それの全域に亘って装脱着用空間１０の中央側ほど上方に位置する傾斜姿勢の装着案内面１２が形成され、一対の耳保護部３の後側縁部３Ｂは、前側縁部３Ａの厚みよりも小なる厚みに構成されている。
さらに、両耳保護部３の補強シェル７の内側補強シェル部７Ａの内面のうち、後側縁部３Ｂに対応する後側部位で、且つ、装着案内面１２における左右両側の耳通過相当箇所を含む部位には、当該装着案内面１２の他の部位よりも大きな勾配（他の部位よりも急傾斜）を有し、更に、一対の耳保護部３の前側縁部３Ａにおける後端部での内面よりも左右方向の外方側に偏倚した位置にまで滑らかな弧状に窪む耳通過案内面１３が形成されている。
【００３４】
そして、後半側開口縁Ｒ１の内面側部位に形成された装着案内面１２の傾斜代の分だけ両耳保護部３の後側縁部３Ｂでの厚みが小さくなり、野球用ヘルメットＨの半楕円形状の後半側開口縁Ｒ１をもって構成される装脱着用空間１０の被り開口寸法である最大短径方向寸法及び最大長径方向寸法を外方側に拡張することができ、野球用ヘルメットＨの装着の容易化を図ることができる。
特に、図７の二点鎖線に示すように、正規装着姿勢よりも庇部２が上方側に向く状態にある野球用ヘルメットＨの装着案内面１２のうち、ヘルメット本体１の最後部の下側縁部１Ａに対応する装着案内面部分を装着者の後頭部に当接させたとき、両耳保護部３の内面における前側部位に設けられている緩衝パッド１１が、装着者の耳に対して装着案内面１２の傾斜代の分だけ前方側に偏倚することになる。そのため、図７の一点鎖線に示すように、野球用ヘルメットＨをヘルメット本体１の上下方向中心線Ｙに対して交差する方向から装着操作する際、緩衝パッド１１が装着者の耳と干渉することをより一層抑制することができ、野球用ヘルメットＨの装着の容易化を一層促進することができる。
【００３５】
さらに、装着案内面１２の耳通過相当箇所に形成された耳通過案内面１３は、装着案内面１２の他の部位よりも大きな勾配を有し、且つ、前側縁部３Ａにおける後端部の内面よりも左右方向の外方側に偏倚した位置にまで滑らかな弧状に窪む。そのため、図７の二点鎖線及び一点鎖線に示すように、野球用ヘルメットＨをヘルメット本体１の上下方向中心線Ｙに対して交差する方向から装着操作する際、装着者の耳が耳通過案内面１３に沿って通過する際の通過抵抗をより小さくすることができ、野球用ヘルメットＨの装着の容易化を図ることができる。
【００３６】
尚、上述の実施形態では、ヘルメット本体１のライナ本体６Ａが露出する状態を示しているが、この状態は、商品的にはまだ完成状態ではなく、ライナ本体６Ａの内面には、繊維素材製のネット等の仕上げ材が適宜施される。
【００３７】
〔その他の実施形態〕
（１）上述の第１実施形態では、補強シェル７を備えた野球用ヘルメットＨについて説明したが、補強シェル７が存在しない野球用ヘルメットＨに本発明の技術を適用してもよい。
この実施形態の場合、両耳保護部３の補強シェル７の内側補強シェル部７Ａにおける後側縁部３Ｂの前端部での左右開口幅Ｗ４は、両耳保護部３の耳ライナ部６Ｃにおける後側縁部３Ｂの前端部での左右開口幅Ｗ４となる。
また、両耳保護部３の補強シェル７の内側補強シェル部７Ａにおける前側縁部３Ａの後端部での左右開口幅Ｗ３は、両耳保護部３の耳ライナ部６Ｃにおける前側縁部３Ａの後端部での左右開口幅Ｗ３となる。
さらに、両耳保護部３の補強シェル７の内側補強シェル部７Ａにおける後側縁部３Ｂの前端部を結ぶ線分Ｌ１の中央位置からヘルメット本体１のライナ本体６Ａの内面における最後端位置までの前後方向長さＬ２は、両耳保護部３の耳ライナ部６Ｃにおける後側縁部３Ｂの前端部を結ぶ線分Ｌ１の中央位置からヘルメット本体１のライナ本体６Ａの内面における最後端位置までの前後方向長さとなる。
【００３８】
（２）上述の第１実施形態では、装脱着用空間１０を構成する後半側開口縁Ｒ１の内面側部位に、それの全域に亘って装脱着用空間１０の中央側ほど上方に位置する傾斜姿勢の装着案内面１２を形成して、一対の耳保護部３の後側縁部３Ｂを、前側縁部３Ａの厚みよりも小なる厚みに構成したが、この構成に限定されるものではない。例えば、装脱着用空間１０を構成する後半側開口縁Ｒ１の内面側部位を、前側縁部３Ａの厚みよりも小なる厚みでヘルメット本体１の上下方向中心線Ｙに沿う鉛直面に構成してもよい。
【００３９】
（３）上述の第１実施形態では、野球用ヘルメットＨの両耳保護部３の前側縁部３Ａを、括れ部４に連続する前下がり傾斜の上半前側縁部分３Ａａと、当該上半前側縁部分３Ａａの下端部及び後側縁部３Ｂの前端部に対してそれぞれ略Ｖ字状に連続する後方下がり傾斜の下半前側縁部分３Ａｂとから構成したが、この構成に限定されるものではない。例えば、両耳保護部３の前側縁部３Ａと後側縁部３Ｂとを側面視において上方広がりのＵ字状に構成してもよい。
【００４０】
（４）上述の第１実施形態では、両耳保護部３の補強シェル７の内側補強シェル部７Ａのうち、前側縁部３Ａに対応する前側部分に、前側縁部３Ａの下半前側縁部分３Ａｂに沿って細長い緩衝パッド１１を貼設したが、この構成に限定されるものではない。例えば、両耳保護部３の補強シェル７の内側補強シェル部７Ａのうち、前側縁部３Ａに対応する前側部分に、前側縁部３Ａの上半前側縁部分３Ａａに沿って細長い緩衝パッド１１を貼設してもよい。さらに、前側縁部３Ａの上半前側縁部分３Ａａ及び下半前側縁部分３Ａｂに沿って略Ｌ字状に形成された緩衝パッド１１を貼設してもよい。
要するに、緩衝パッド１１は、両耳保護部３の補強シェル７の内側補強シェル部７Ａのうち、前側縁部３Ａの下半前側縁部分３Ａｂに対応する前側部分に配置するものであれば、円形状や三角形状等の他の形態に自由に構成することができる。
【００４１】
（５）上述の第１実施形態では、一対の耳保護部３の後側縁部３Ｂの前端部からヘルメット本体１の最後部の下側縁部１Ａに至る領域の後半側開口縁Ｒ１を、ライナ本体６Ａの内面の後半側開口縁Ｒ２よりも最大短径方向寸法及び最大長径方向寸法が大なる半楕円形状に構成したが、この構成に限定されるものではない。例えば、後半側開口縁Ｒ１における最大長径方向寸法を、ライナ本体６Ａの内面の後半側開口縁Ｒ２における最大長径方向寸法と同一又は略同一に構成してもよい。
【符号の説明】
【００４２】
１        ヘルメット本体
１Ａ      下側縁部
２        庇部
３        耳保護部
３Ａ      前側縁部
３Ｂ      後側縁部
４        括れ部
５        シェル
６        内層材
１０      装脱着用空間
１１      緩衝パッド
１２      装着案内面
１３      耳通過案内面
Ｒ１      後半側開口縁
Ｒ２      後半側開口縁
Ｙ        上下方向中心線
【図１】
2018057671.tif 000003
【図２】
2018057671.tif 000004
【図３】
2018057671.tif 000005
【図４】
2018057671.tif 000006
【図５】
2018057671.tif 000007
【図６】
2018057671.tif 000008
【図７】
2018057671.tif 000009